(57)【要約】      （修正有）【課題】検体採取棒によって検体を採取して検体採取容器本体内に収容する際に、検体採取棒を検体採取容器本体における挿入口から容易に挿入することができ、検体採取作業を簡便、かつ効率よく行え、また、採取した検体の飛散を防ぐことが可能な検体採取容器を提供する。【解決手段】容器内を密封する蓋部２２と検体採取棒２１とを有する蓋体２と、検体を収容する収容部３１と検体採取棒２１を収容部３１内に挿入するための口部３２とを有する容器本体３と、を備える検体採取容器であって、口部３２の開口端縁側の少なくとも一部が着色されている着色部３４を有する。【選択図】図２
0003213230.tif 000002
【実用新案登録請求の範囲】
【請求項１】
容器内を密封する蓋部と検体採取棒とを有する蓋体と、
検体を収容する収容部と前記検体採取棒を前記収容部内に挿入するための口部とを有する容器本体と、
を備える検体採取容器であって、
前記口部の開口端縁側の少なくとも一部が着色されている着色部を有することを特徴とする検体採取容器。
【請求項２】
前記口部の開口端縁が、傾斜部又は段差部を含み、
当該開口端縁において前記口部の先端側から前記収容部側に向かった方向に対して上位側に位置する前記口部の内壁の一部と、当該開口端縁において前記口部の先端側から前記収容部側に向かった方向に対して下位側に位置する前記口部の外壁の一部とが着色されている着色部を有する
ことを特徴とする請求項１に記載の検体採取容器。
【請求項３】
前記着色部が、前記口部の内壁と外壁とで異なる色に着色されていることを特徴とする請求項１又は請求項２に記載の検体採取容器。
【考案の詳細な説明】
【技術分野】
【０００１】
本考案は、検体検査に際して検体採取棒により検体を採取する検体採取容器に関する。
【背景技術】
【０００２】
従来、糞便検査（検便）などの検体検査に際して、検体を採取する検体採取容器として様々な形態の検体採取容器が提案されているが、その多くのものは、先端に螺旋状溝などの検体採取部を設けた検体採取棒を有する蓋体と、保存溶液などが充填され、採取した検体を収容する容器本体とを備えている。
【０００３】
この種の検体採取容器にあっては、検体を採取するにあたり、蓋体を取り外し、検体採取部を検体に接触させた後に、検体採取棒を検体採取容器本体の挿入口から容器本体内に挿入し、蓋をすることによって、採取した検体を収容するようになっている。
【０００４】
検体採取棒が挿入される挿入口は、容器本体内に充填された保存溶液などや収容した検体又はその希釈液の漏出を防ぐために、多くの検体採取容器においてその直径は小さく設計されている。そのため、検体採取棒の検体採取容器への挿入には困難を伴っていた。
【０００５】
ここで、検体の採取に際しては、糞便等の感染性物質を含むおそれがある検体も扱うため、その取扱いには慎重さを要する。検体採取棒の検体採取容器本体への挿入がうまく行えないと、感染性物質を飛散させてしまい、二次感染の危険性が高まることが懸念される。
【０００６】
一方、検体を採取する現場では、短時間で処理を行いたいという要望がある。
【０００７】
そこで、検体採取棒を検体採取容器に容易に挿入出来る検体採取容器を用いることにより、検体採取作業を簡便、かつ効率よく行え、採取した検体の飛散を防ぐことが期待される。
【０００８】
このような事情を鑑み、検体採取棒の検体採取容器への挿入を容易にするために、検体採取棒が挿入される挿入口の開口端縁を、傾斜部又は段差部を含むようにして、開口端部を大きく設けることが提案されている（特許文献１）。
【先行技術文献】
【特許文献】
【０００９】
【特許文献１】実用新案登録第３２０４２２６号公報
【考案の概要】
【考案が解決しようとする課題】
【００１０】
しかし、検体採取容器の容器本体は、ほとんどの容器が白色半透明で形成されているため、開口端部の視認性が不十分であり、検体採取棒を検体採取容器へ挿入する際に目測を誤ってしまうことがあった。そのため、検体採取棒を挿入口へ容易に挿入するために、さらなる改良が求められていた。
【００１１】
そこで、本考案は、検体採取棒によって検体を採取して検体採取容器本体内に収容する際に、検体採取棒を検体採取容器本体における挿入口から容易に挿入することができ、検体採取作業を簡便、かつ効率よく行え、また、採取した検体の飛散を防ぐことが可能な検体採取容器の提供を目的とする。
【課題を解決するための手段】
【００１２】
本考案に係る検体採取容器は、容器内を密封する蓋部と検体採取棒とを有する蓋体と、検体を収容する収容部と前記検体採取棒を前記収容部内に挿入するための口部とを有する容器本体と、を備える検体採取容器であって、前記口部の開口端縁側の少なくとも一部が着色されている着色部を有する構成としてある。
【考案の効果】
【００１３】
本考案に係る検体採取容器によれば、検体採取棒によって検体を採取して検体採取容器本体内に収容する際に、検体採取棒を検体採取容器本体における挿入口から容易に挿入することができ、検体採取作業を簡便、かつ効率よく行え、また、採取した検体の飛散を防ぐことが可能になる。
【図面の簡単な説明】
【００１４】
【図１】本考案の実施形態に係る検体採取容器の一例を示す斜視図である。
【図２】本考案の実施形態に係る検体採取容器における蓋体と容器本体の一例を示す斜視図である。
【図３】本考案の実施形態に係る検体採取容器における容器本体の一例を示す正面図である。
【図４】本考案の実施形態に係る検体採取容器における容器本体の一例を示す背面図である。
【図５】本考案の実施形態に係る検体採取容器における容器本体の一例を示す左側面図である。
【図６】本考案の実施形態に係る検体採取容器における容器本体の一例を示す右側面図である。
【図７】本考案の実施形態に係る検体採取容器における容器本体の一例を示す平面図である。
【図８】本考案の実施形態に係る検体採取容器における容器本体の一例を示す底面図である。
【考案を実施するための形態】
【００１５】
以下、本考案の好ましい実施形態について、図面を参照しつつ説明する。
【００１６】
図１は、本考案の実施形態に係る検体採取容器１の一例を示す斜視図である。図２は、本考案の実施形態に係る検体採取容器１における蓋体２と容器本体３の一例を示す斜視図であり、図３は、同正面図、図４は、同背面図、図５は、同左側面図、図６は、同右側面図、図７は、同平面図、図８は、同底面図である。
【００１７】
本実施形態の検体採取容器１は、糞便検査などの検体検査に際して検体を採取するためのものであり、図１に示すように、容器を密封する蓋体２と採取した検体が収容される容器本体３とを備える。検体採取容器１を構成するこれらの部材は、例えば、ポリプロピレン，ポリエチレン等の熱可塑性樹脂を用いて、射出成形などにより製造することができる。
【００１８】
図２に示すように、蓋体２は、検体採取棒２１と容器を密封する蓋部２２とを有する。検体採取棒２１の先端側には検体採取部２１ａが設けられており、検体採取棒２１により検体を採取するには、蓋体２を容器本体３から取り外して、検体採取棒２１を検体に接触させ、検体採取部２１ａで採取する。そして、検体を採取した後は、蓋体２を再び容器本体３に装着して、検体採取棒２１を、保存溶液などが充填されている容器本体３内に戻す。
【００１９】
検体採取棒２１の先端側に設けられる検体採取部２１ａとしては、例えば、検体が糞便である場合、図２に示すように、螺旋状に刻設された螺旋状溝などを設けることが一例として好ましく挙げることができるが、検体を確実に採取できるものであれば、これに限定されない。例えば、長手方向と直交し、検体採取棒２１の先端側を周回する溝を複数設けることも可能である。その他、各種形状の凹部や貫通孔を一つ以上設けてもよい。また、検体採取部２１ａを繊維状のもので構成することもできる。検体の性状は固形状、液状等様々であるので、様々な性状の検体を採取するために既存の手段を適宜選択することができる。
【００２０】
検体採取棒２１に付着した検体の視認性を高めるために、検体採取棒２１を着色することが好ましい。例えば、検体が糞便であった場合は、白色乃至淡色の明度の高い色で着色することが好ましく、糞便の色（褐色乃至黄褐色）の補色に近い淡緑色に着色することがより好ましい。
【００２１】
蓋部２２は、容器本体３（収容部３１）の形状に合わせ、同じ外径を有する形状となるように成形するか、容器本体３（収容部３１）よりも小さく成形することが、検体採取容器１の収納や輸送に際してスペースをとらないため好ましい。しかし、容器本体３を密封することができる機能を有していれば、特にその形状は限定されない。
【００２２】
このような蓋体２は、射出成形により蓋部２２と検体採取棒２１とを一体に成形することが好ましいが、これらは別体に成形するようにしてもよい。蓋部２２によって容器を密封することができるとともに、検体の採取に支障がない強度を検体採取棒２１が有していれば、蓋体２の具体的な構成は特に限定されない。
【００２３】
容器本体３は、図２〜７に示されるように、内部に検体を収容する収容部３１と、検体採取棒２１を収容部３１内部に挿入するための口部３２とを有する。
【００２４】
収容部３１は、図２に示されるように、断面が長円形の筒状に成形すると、検体採取容器１の収納や輸送に際してスペースをとらず、また検体採取容器１を置く際に安定性が高く、好ましい。しかし、その内部に、検体採取棒２１を収容できるように構成されていれば、特にその形状は限定されない。円筒形、或いは断面が楕円形や多角形の筒状に成形してもよい。
収容部３１の先端側には、口部３２が設けられ、基端側は底面となる。
【００２５】
口部３２は、検体採取棒２１を収容部３１内に案内しつつ挿入することができるように、検体採取棒２１の直径よりも少し大きい直径を有する円筒形に成形することが好ましい。例えば、検体採取棒２１の直径が２〜３ｍｍとすると、口部３２の孔の直径は５ｍｍとすることが好ましい。口部３２の先端側は検体採取棒２１が挿入される挿入口３３となる。口部３２は、検体を収容する収容部３１内へ直線的に孔が続くように、収容部３１の先端に設けられる。
【００２６】
詳細は後述するが、口部３２における収容部３１内へ続く内壁と、その反対面となる外壁は、その一部が着色されている着色部３４を有する。
【００２７】
口部３２の開口端縁は、図２〜６に示されるように、傾斜部を含む態様とすることが、開口端部を大きくすることができ、検体採取棒２１を挿入口３３に挿入する際に挿入を容易に行うことができるため好ましいが、口部の開口端縁は、この態様に限定されない。口部の開口端縁が、段差部を含んでもよいし、又は傾斜部と段差部を含んでもよい。口部の開口端縁が、傾斜部や段差部を含まずに、検体採取棒の容器本体への挿入方向に対して垂直な断面を形成するように構成されていてもよい。
【００２８】
容器本体３の内部構造は、検体採取容器１の用途によって適宜構成することができる。例えば、口部３２や収容部３１の内部を、採取した検体や充填した保存液などの収容物を漏洩させないように構成することが好ましい。また、収容部３１の内部および口部３２を、収容部外面とは別体で構成してもよい。また、収容部３１の基端側の底面を、収容した検体の検査に供するために、取り出し易い構造にすることも好ましい。
【００２９】
本実施形態の検体採取容器１において、蓋体２は、容器本体３の口部３２の外周面に周方向に沿って形成した凸部３２aと、蓋部２２の内周面に周方向に沿って形成した凸部（図示しない）との嵌合により装着されて、容器内を密封するようにしてあるが、蓋体２の容器本体３への装着手段はこれに限定されない。容器内を密封することができれば、例えば、特に図示しないが、蓋部の内周面に条設された螺条と、口部３２の外周面に条設された螺条とにより、螺着によって蓋体を装着するようにしてもよい。
【００３０】
本考案においては、口部３２の開口端縁側の少なくとも一部が着色されている着色部３４を有する。このように、着色部３４を挿入口３３近傍に有することによって口部３２の開口端縁の視認性が高まるため、検体採取棒２１で検体を採取した後、検体採取棒２１を容器本体３内に収容する際に、検体採取棒２１を検体採取容器本体開口部３２の挿入口３３から容易に挿入することができ、検体採取作業を簡便、かつ効率よく行え、また、採取した検体の飛散を防ぐことが可能になる。
【００３１】
着色部３４は、例えば検体が接触したとしても検体及び着色部双方に影響を与えることがない塗料を塗布することで設けることができるが、挿入口３３から検体採取棒２１を挿入する際に検体が接触することに影響を与えることがなく、検体採取棒２１を容器本体３内へ挿入する機能を害するものでなければ特に限定されない。
【００３２】
着色の色は、検体採取棒２１を挿入する際に、挿入口３３の視認性を高めることができる色であれば、特に限定されない。例えば、赤や緑などの彩度の高い色が好ましく、特に黒色が好ましい。検体採取棒２１が着色されている場合は、検体採取棒２１とは異なる色で着色することが好ましい。
【００３３】
着色部３４は、口部３２の開口端縁側に設けられれば、開口端に設けられてもよいし、口部３２の内壁の少なくとも一部に設けられてもよいし、口部３２の外壁の少なくとも一部に設けられてもよいし、またはそれらの組み合わせであってもよい。
【００３４】
また、着色部３４が、口部３２の内壁と外壁とで異なる色で着色されてもよい。
【００３５】
また例えば、図２〜６に示されるように、口部３２の開口端縁が、傾斜部や段差部を含んでいる場合、開口端縁において口部３２の先端側から基端側（収容部３１側）に向かった方向に対して上位側に位置する口部３２の内壁の一部と、開口端縁において口部３２の先端側から基端側（収容部３１側）に向かった方向に対して下位側に位置する口部３２の外壁の一部とが着色されている着色部を有してもよい。
このような形態とすることによって、挿入口３３の視認性が高まるとともに、口部３２への着色作業が簡便に行うことができるため、好ましい。
【００３６】
このように、本実施形態によれば、検体採取棒によって検体を採取して検体採取容器本体内に収容する際に、検体採取棒を検体採取容器本体開口部の挿入口から容易に挿入することができる。
【００３７】
以上、本考案について、好ましい実施形態を示して説明したが、本考案は、前述した実施形態にのみ限定されるものではなく、本考案の範囲で種々の変更実施が可能であることは言うまでもない。
【産業上の利用可能性】
【００３８】
以上説明したように、本考案は、検体検査に際して検体採取棒により検体を採取する検体採取容器として利用することができる。
【符号の説明】
【００３９】
１：検体採取容器
２：蓋体
２１：検体採取棒
２１ａ：検体採取部
２２：蓋部
３：容器本体
３１：収容部
３２：口部
３３：挿入口
３４：着色部
【図１】
0003213230.tif 000003
【図２】
0003213230.tif 000004
【図３】
0003213230.tif 000005
【図４】
0003213230.tif 000006
【図５】
0003213230.tif 000007
【図６】
0003213230.tif 000008
【図７】
0003213230.tif 000009
【図８】
0003213230.tif 000010